(57)【要約】【課題】電気炊飯器において、炊飯時に発生するおねば混じりの蒸気が内蓋の蒸気導入口から上方に向けてストレートに放出されると、蓋体側調圧部の蒸気抜き通路をそのまま通過して蒸気口から外部に吹き出されてしまうので、蒸気抜き通路中でのおねば分離効率が低下して、吹きこぼれが生じる。【解決手段】蓋体２部分に炊飯時に内鍋３内で発生する蒸気を大気中に排出する蒸気抜き通路５を備えた電気炊飯器において、蒸気抜き通路５を、内蓋４に設けた蒸気導入口５１と、内蓋４の上面と蓋体２の下面との間に形成されたおねば分離用の空所５２と、蓋体２内に設けた調圧用の蓋体内通路５３とから構成する一方、上記蒸気導入口５１を、上記内鍋３内で発生した蒸気を内蓋４の下面側から上記空所５２内における内蓋４の上面に沿う略水平方向に向けて導入するものとし、ストレートに上記蓋体内通路５３に侵入させることなく、上記空所５２内で旋回させることにより、おねば分離効率を向上させて、外部への吹きこぼれを解消した。【選択図】  図３
2013240504.tif 000002
【特許請求の範囲】
【請求項１】
内鍋と、該内鍋を収容し得る炊飯器本体と、該炊飯器本体の上部を開閉する蓋体と、該蓋体の下面側に設けられていて閉蓋時に上記内鍋の開口縁部を閉塞する内蓋と、炊飯時に内鍋内で発生する蒸気を大気中に排出する蒸気抜き通路とを備えた電気炊飯器であって、上記蒸気抜き通路は、上記内蓋に設けた蒸気導入口と、上記内蓋の上面と上記蓋体の下面との間に形成された空所と、上記蓋体内に設けた蓋体内通路とからなり、上記蒸気導入口は、上記内鍋内で発生した蒸気を上記内蓋の下面側から上記空所内における内蓋の上面に沿う略水平方向に向けて導入するようになっていることを特徴とする電気炊飯器。
【請求項２】
蒸気導入口には、内鍋内で発生した蒸気を内蓋の上面に沿う略水平方向に導入するための蒸気通路が設けられていることを特徴とする請求項１記載の電気炊飯器。
【請求項３】
蒸気導入口は、内蓋の中心を中心とする同心円の略接線方向に向けて蒸気を導入するようになっていることを特徴とする請求項１又は２記載の電気炊飯器。
【請求項４】
蒸気導入口の出口側は、内蓋の上面と同じ高さかあるいは内蓋の上面よりも低い高さに形成していることを特徴とする請求項１，２又は３記載の電気炊飯器。
【請求項５】
蒸気導入口は、複数箇所に設けられていることを特徴とする請求項１，２，３又は４記載の電気炊飯器。
【請求項６】
複数箇所の各蒸気導入口は、内蓋の中心を中心とする同心円上の同一回転方向に向けて蒸気を導入するように設けられていることを特徴とする請求項５記載の電気炊飯器。
【発明の詳細な説明】
【技術分野】
【０００１】
本願発明は、炊飯時に内鍋（飯器）内で発生した蒸気を蒸気抜き通路を通して大気中に排出し得るようにした電気炊飯器に関するものである。
【背景技術】
【０００２】
電気炊飯器は、内鍋を収容し得る炊飯器本体と、炊飯器本体の上部を開閉する蓋体と、蓋体の下面側に設けられていて、蓋体を閉じたときにパッキンを介して内鍋の開口縁部を閉塞する内蓋と、炊飯時に内鍋内で発生した蒸気を大気中に排出し得る調圧用の蒸気抜き通路とを備えて構成されている。
【０００３】
そして、このような電気炊飯器では、炊飯中（内鍋内の炊飯水が沸騰しているとき）に内鍋内で発生した蒸気が、上記蓋体部分に設けられている調圧の蒸気抜き通路を通して蓋体上面に設けた蒸気排出口から大気中に排出されるようになっている。
【０００４】
ところで、上記炊飯中に内鍋内で発生する蒸気中には、おねばと称される粘度の高い液体が含まれているが、このおねば成分は蒸気より重いものである。そして、このようなおねば混じりの蒸気が上記蒸気抜き通路を通って蓋体上面の蒸気排出口から排出されると、当該蒸気中のおねば成分が蒸気排出口の周辺の蓋体上面に付着するようになる（いわゆる吹きこぼれ現象が生じる）。このおねば成分は、冷めると乾燥状態で蒸気排出口の周辺の蓋体上面に付着し、見栄えが悪くなるので炊飯終了後に清掃する必要がある。
【０００５】
そこで、従来公知の電気炊飯器では、上記のような炊飯時の吹きこぼれ対策として、上記炊飯時に発生した蒸気中のおねばを蒸気抜き通路途中において蒸気から分離し、おねば濃度を薄くした蒸気のみを大気中に放出させるようにしたものが提案されている。
【０００６】
このようなおねば分離機能を備えた公知の電気炊飯器としては、例えば特許第３９１２５２４号公報（特許文献１）、特許第３５４９４５７号公報（特許文献２）、特開２０１１−１４２９４０号公報（特許文献３）等に示されるものがある（なお、これら公知の電気炊飯器におけるおねばを分離する装置について、以下の説明では、便宜上、「おねば分離装置」と総称して表現することにする）。
【０００７】
これらの公知の電気炊飯器（上記特許文献１〜３に示すもの）に採用されているおねば分離装置（特許文献１では蒸気口ユニット、特許文献２では排気ダクト部材、特許文献３では蒸気排気ユニットと呼ばれている）は、何れも蓋体内に設置されていて、炊飯中に発生したおねば混じりの蒸気を各々おねば分離装置内で渦状に旋回させて（排出までに時間をかけて）蒸気中のおねば成分を内鍋側に分離回収し、おねば成分の濃度を薄くした上で蒸気口から大気中に排出させるようになっている。
【０００８】
すなわち、炊飯時に発生する蒸気中のおねばは、ご飯の旨み成分となるものであって、可能な限り炊き上げ中のご飯中に戻すことが有益である。そこで、上記各公知例の電気炊飯器でも、蒸気から分離したおねばを各々おねば分離装置の下部側開口（おねば戻し穴等）から内鍋内に戻すようにしている。
【先行技術文献】
【特許文献】
【０００９】
【特許文献１】特許第３９１２５２４号公報
【特許文献２】特許第３５４９４５７号公報
【特許文献３】特開２０１１−１４２９４０号公報
【発明の概要】
【発明が解決しようとする課題】
【００１０】
ところで、上述した各公知例の電気炊飯器における各おねば分離装置（特許文献１の蒸気口ユニット、特許文献２の排気ダクト部材、特許文献３の蒸気排気ユニットなど）は、その構成上、何れも調圧部での対策であり、調圧機構、調圧通路を蓋体内の上下に貫通させた状態で設置されているが、このようなおねば分離装置で蒸気とおねばの分離機能を向上させようとすると、当然ながら通路径、通路長さの拡大、構造の複雑化などが必要となるが、最近の内蓋では、その構成上からおねば分離装置の大きさ（高さおよび平面積）が制限される関係で、順次発生するおねば混じりの蒸気を長く貯留させるような複雑、かつ大きな通路構造を取ることができない。したがって、おねば分離装置の大きさは必然的に制限される。
【００１１】
このように、最近の電気炊飯器では、調圧部およびおねば分離装置部分の大きさを大きくできないことから、炊飯時に発生するおねば混じりの蒸気が比較的短時間でおねば分離装置内を通過してしまい、おねば分離装置部分でのおねば分離効率が低いものとなっていた。
【００１２】
もちろん、あえて上記蒸気抜き通路を長くするために、調圧部およびおねば分離装置部分の容積を大きくしようとすれば、技術的にできないことはないが、そのようにすると、それに伴って蓋体の外形を大きくする必要があり、その結果、炊飯器全体が必要以上に大きくなって、高コストなものになってしまうという問題がある。
【００１３】
特に、上述した各公知例の電気炊飯器では、上記蒸気抜き通路の始端部となる内蓋の蒸気導入口が上向きに（垂直に）開口されているだけなので、内鍋側から内蓋の蒸気導入口を通った蒸気が高い吹き出し圧を行ったまま蓋体側内の調圧通路（おねば分離通路）に侵入し、蒸気出口からそのまま噴出してしまう（いわゆる吹きこぼれ現象が生じ易い）。
【００１４】
又、上記した各公知例の電気炊飯器では、調圧部およびおねば分離装置内でおねば混じりの蒸気を旋回させるのに、おねば分離装置部分に蒸気旋回用の各種の工夫（例えば特許文献１，２の仕切壁や特許文献３の送風ユニット等の設置）を施す必要があって、それらの工夫のために構造が複雑になったり、部品点数が多くなったりする問題もあった。
【００１５】
本願発明は、上述した従来の問題を改善するためになされたものであって、蒸気抜き通路の一部である内蓋上面と蓋体下面間の既存の空所部（好ましくは周方向の平面積を広くとれる場所）を利用し、該空所部に対して、おねば混じりの蒸気を略水平方向に導入させることによって、おねば成分の分離を促進させ得るようにした電気炊飯器を提供することを目的とするものである。
【課題を解決するための手段】
【００１６】
本願発明は、上記の目的を達成するために、次のような課題解決手段を備えて構成されている。
【００１７】
（１）  本願請求項１の発明
この発明の電気炊飯器は、内鍋と、該内鍋を収容し得る炊飯器本体と、該炊飯器本体の上部を開閉する蓋体と、該蓋体の下面側に設けられていて閉蓋時に上記内鍋の開口縁部を閉塞する内蓋と、炊飯時に内鍋内で発生する蒸気を大気中に排出する蒸気抜き通路とを備えた電気炊飯器であって、上記蒸気抜き通路は、上記内蓋に設けた蒸気導入口と、上記内蓋の上面と上記蓋体の下面との間に形成された空所と、上記蓋体内に設けた蓋体内通路とからなり、上記蒸気導入口は、上記内鍋内で発生した蒸気を上記内蓋の下面側から上記空所内における内蓋の上面に沿う略水平方向に向けて導入するようになっていることを特徴としている。
【００１８】
このような構成によると、内蓋に設けた空所内への蒸気導入口が、内鍋内で発生した蒸気を内蓋下面側から当該空所内における内蓋の上面に沿う略水平方向に向けて導入するようにしているので、従来のように、炊飯時に内鍋内で発生したおねば混じりの蒸気が、内蓋の蒸気導入口から、そのままストレートに上方に吹き出して、蓋体内の蒸気抜き通路中に導入されるようなことがなくなり、空所内での蒸気とおねば成分との確実な分離、内鍋側へのおねば成分の確実な回収が可能となる。
【００１９】
その結果、おねば分離効果が向上し、蒸気抜き通路を介して蒸気排出口から大気中に放出されるおねば量を少なくすることができる。
【００２０】
（２）  本願請求項２の発明
この発明の電気炊飯器は、上記請求項１記載の発明の電気炊飯器において、蒸気導入口には、内鍋内で発生した蒸気を内蓋の上面に沿う略水平方向に導入するための蒸気通路が設けられていることを特徴としている。
【００２１】
このように、内蓋の蒸気導入口部分に上記空所内に導入される蒸気を内蓋の上面に沿って略水平方向に導く蒸気通路を設けると、蒸気導入口を通して空所内に導入される蒸気を、より確実に内蓋上面に沿う略水平方向に向けてコントロールすることができる。
【００２２】
（３）  本願請求項３の発明
この発明の電気炊飯器は、上記請求項１又は２記載の発明の電気炊飯器において、蒸気導入口は、内蓋の中心を中心とする同心円の略接線方向に向けて蒸気を導入するようになっていることを特徴としている。
【００２３】
内蓋の上面と蓋体の下面との間の空所は、内蓋の中心を中心とする同心円状の平面積の大きな空所となっている。
【００２４】
そこで、上記のように、蒸気導入口から当該平面積の大きな円形の空所内に導入されるおねば成分を含む蒸気を、内蓋の中心を中心とする同心円の略接線方向に向けて導入するようにすると、上記のように内蓋の下面側から順次空所内に導入されてくるおねば混じりの蒸気が当該空所内で旋回するようになり、空所内での蒸気滞留時間が長くなるとともに、おねばの分離効果が向上する。
【００２５】
（４）  本願請求項４の発明
この発明の電気炊飯器は、上記請求項１，２又は３記載の発明の電気炊飯器において、蒸気導入口の出口側は、内蓋の上面と同じ高さかあるいは内蓋の上面よりも低い高さに形成していることを特徴としている。
【００２６】
すでに述べたように、炊飯中に発生する蒸気中のおねばは、炊き上げたご飯をおいしくする成分を含んでおり、できるだけ多く回収して内鍋内のご飯中に戻すことが望ましい。
【００２７】
上記空所内に導入された蒸気中のおねば成分は蒸気より重く、一方蒸気は軽いので、おねば成分は空所の底部（内蓋上面）に溜まる一方、蒸気は上昇して蓋体側の蒸気抜き通路の方に流れて行くようになる。
【００２８】
そして、その場合において、上記のように、上記内蓋の蒸気導入口の出口側を内蓋の上面と同じ高さかあるいは内蓋の上面よりも低い高さに形成しておくと、上記蒸気導入口を、炊飯時における内鍋内の蒸気吹き出し口としての機能のほかに、内蓋の上面に溜まったおねば成分を内鍋内に戻すためのおねば戻し口としても機能させることができるようになる。
【００２９】
（５）  本願請求項５の発明
この発明の電気炊飯器は、上記請求項１，２，３又は４記載の発明の電気炊飯器において、蒸気導入口は、複数箇所に設けられていることを特徴としている。
【００３０】
このように、上述のような蒸気導入口を内蓋に複数箇所設けるようにすると、内鍋内で発生したおねば混じりの蒸気が内蓋の各蒸気導入口から上記空所内に均等に効率良く導入されることになり、当該空所内にそれぞれ放出された各蒸気流を撹拌、対流化させることができるようになり、蒸気とおねばの分離効率が向上する。
【００３１】
（６）  本願請求項６の発明
この発明の電気炊飯器は、上記請求項５記載の発明の電気炊飯器において、複数箇所の各蒸気導入口は、内蓋の中心を中心とする同心円上の同一回転方向に向けて蒸気を導入するように設けられていることを特徴としている。
【００３２】
このように、内鍋内で発生するおねば混じりの蒸気を複数箇所の各蒸気導入口から上記空所内にそれぞれ同一回転方向に向けて導入、放出させるようにすると、該空所内での蒸気流の旋回移動が促進され、撹拌および旋回による遠心分離作用によりおねば成分が効率良く分離されるようになる。
【発明の効果】
【００３３】
以上の結果、本願発明によると、従来のように調圧部の構造を複雑かつ大型にすることなく、おねばの分離回収性能を向上させることができるようになり、より確実かつ低コストに吹きこぼれを防止することができる。
【００３４】
その結果、炊飯制御における長時間の沸とう維持が可能となり、ご飯の味を向上させることができる。
【図面の簡単な説明】
【００３５】
【図１】本願発明の実施の形態１に係る電気炊飯器の全体的な構成を示す縦断面図である。
【図２】図１の電気炊飯器に使用されている内蓋（外周カーリング加工前の状態）および同内蓋の要部を上面側から見た斜視図である。
【図３】図２の内蓋および要部の平面図である。
【図４】図２の内蓋および要部の底面図である。
【図５】図３のＶ−Ｖ切断部の拡大断面図である。
【図６】図３のVI−VI切断部の拡大断面図である。
【図７】本願発明の実施の形態２に係る電気炊飯器で使用される内蓋の中央断面図（上述の図５に相当する図）である。
【図８】図７のVIII−VIII切断部の拡大断面図である。
【図９】本願発明の実施の形態３に係る電気炊飯器の内蓋に使用される蒸気導入口形成部材の正面図（その蒸気出口側から見た図）である。
【図１０】図９の蒸気導入口形成部材の右側面図である。
【図１１】図９及び図１０の蒸気導入口形成部材を使用した内蓋の中央断面図（上述の図５に相当する図）である。
【図１２】本願発明の実施の形態４に係る電気炊飯器の内蓋に使用される蒸気導入口形成部材の平面図である。
【図１３】図１２の蒸気導入口形成部材のＸIII−ＸIII切断部の断面図である。
【図１４】図１１及び図１２の蒸気導入口形成部材を内蓋に使用した第１の使用例における内蓋の平面図である。
【図１５】図１１及び図１２の蒸気導入口形成部材を内蓋に使用した第２の使用例における内蓋の平面図である。
【図１６】図１１及び図１２の蒸気導入口形成部材を内蓋に使用した第３の使用例における内蓋の平面図である。
【発明を実施するための形態】
【００３６】
以下、添付の図面を参照して本願発明のいくつかの実施の形態を説明する。
【００３７】
図１〜図６には本願発明の実施の形態１に係る電気炊飯器を示し、図７〜図８には同実施の形態２に係る電気炊飯器に使用される内蓋を示し、図９〜図１１には同実施の形態３に係る電気炊飯器に使用される蒸気導入口形成部材及び同部材を取付けた内蓋を示し、図１２〜図１３には同実施の形態４に係る電気炊飯器に使用される蒸気導入口形成部材を示し、図１４〜図１６にはそれぞれ図１２及び図１３の蒸気導入口形成部材の各使用例（第１〜第３の使用例）を示している。
【００３８】
＜実施の形態１＞
図１には、本願発明の実施の形態１に係る電気炊飯器の全体的な断面図を示している。この図１に示す電気炊飯器は、内鍋３（飯器となる）と、該内鍋３を出し入れ自在に収容し得る内鍋収容口を有する炊飯器本体１と、該炊飯器本体１の上部を開閉する蓋体２と、該蓋体２の下面側に設けられていて閉蓋時に内鍋３の開口縁部３ａを閉塞する内蓋４と、炊飯時に内鍋３内で発生する蒸気を大気中に排出し得る蒸気抜き通路５とを備えて構成されている。
【００３９】
炊飯器本体１は、外ケース１１と底部材１２と肩部材１３と内ケース１４とを有した二重容器形状に構成されている。尚、内鍋３は炊飯器本体１の内ケース１４内に収容される。
【００４０】
内ケース１４の下面には、炊飯用の加熱手段１５が取付けられている。この加熱手段１５としては、電気ヒータや電磁誘導可能なワークコイル等が採用できる（図１では、一例として電磁誘導加熱手段としてのワークコイルを採用）。尚、内ケース１４の底部中央には、内鍋３の温度を検知する温度センサ１６が設けられていて、該温度センサ１６からの検出信号によって各種の炊飯、保温用制御が実行される。
【００４１】
蓋体２は、上板２１と下板２２とを有した上下二重壁構造を有している。又、蓋体２の下板２２には、その中央位置にかなり大径の開口２２ａが形成されているが、該開口２２ａには金属板からなる放熱板２３が取付けられている。尚、図１には図示していないが、放熱板２３の上面側には蓋ヒータが設置されていて、炊飯時に内蓋４の上面側から内鍋３の上部および内鍋３内のご飯を加熱し得るようになっている。
【００４２】
蓋体２における上板２１と下板２２（放熱板２３を含む）間の空所には、その前部寄り部分にマイコン基板２５が設置されている。このマイコン基板２５は上面側操作パネルに対応して、かなりの面積を有していて、該マイコン基板２５の設置のために蓋体２内の空所のかなりの面積部分を占有している。従って、そのような事情もあって、後述する一連の蒸気抜き通路５の一部となる蒸気口ユニット（調圧ユニット）７は、蓋体２の後部寄り位置の余剰空所部分に設置されている。
【００４３】
この蓋体２は、その後端部を炊飯器本体１の後端部上にヒンジ２０で弧回動開閉自在に枢着している。
【００４４】
この実施の形態の場合、上記内鍋３は、一例として金属製である。そして、この内鍋３は、蓋体２を開放した状態で、炊飯器本体１の内ケース１４内に出し入れし得るようになっている。
【００４５】
また内蓋４は、金属板製のものであり、内鍋３の開口縁部３ａをシール用パッキン４０を介して被覆し得る形状と対応する面積を有している。この内蓋４は、蓋体２の下面側に着脱自在に取り付け得るようになっており、内蓋４を必要に応じて（例えば内蓋上面が後述するおねばで汚れたときに）蓋体下面から取り外して洗浄することができるようになっている。
【００４６】
内蓋４の外周部には、内鍋３の開口縁部３ａ上に接触するシール用パッキン４０が取付けられており、蓋体２を閉じたときに内蓋４のシール用パッキン４０が内鍋３の開口縁部３ａ部分を密閉するようになっている。
【００４７】
蓋体２の下板２２の下面には、内蓋４の外周寄り上面に接触する別のシール用パッキン２４が取付けられていて、内蓋４を蓋体下面に取付けた状態では、内蓋４の上面（高さが低くなった段下げ部４１の上面）と蓋体２の下面（放熱板２３の下面）との間に略密閉状態の円形の空所（おねば分離空間）５２が形成されるようになっている。
【００４８】
内蓋４には、その外周寄り部分を外端とする所定深さＴ（図５参照）の浅皿状の段下げ部４１が形成されている。従って、内蓋上面（段下げ部４１上面）と蓋体下面（放熱板２３下面）との間に形成される上記円形の空所５２は、所定の高さで且つ相当に大径の平面積を有した大きな容積空間を有している。
【００４９】
内蓋４における段下げ部４１内の上面は、ごく僅かに凸球面状になっていて、後述するように内蓋４の上面と蓋体２における放熱板２３の下面との間の空所５２内で蒸気とおねばを分離するとともに、分離したおねば（粘性のある液状のもの）を該段下げ部４１の上面４１ａに沿って、かつ該段下げ部外周側に向けて旋回流動させ得るようになっている。
【００５０】
内蓋４の段下げ部４１の外周寄り部分には、図２〜図４に示すように、周方向に所定の間隔をもって複数個（図示の例では５個）の小穴４２，４２・・が形成されている。この各小穴４２，４２・・は、炊飯時に上記空所５２内で旋回により遠心方向に分離したおねばを内鍋３内に戻すためのおねば戻し穴となるものである。
【００５１】
前述のように、この種の電気炊飯器には、従来から炊飯時に内鍋３内で発生する蒸気を大気中に排出するための上流から下流方向に複雑に変形して延びる一連の蒸気抜き通路５が形成されているが、上記図１の電気炊飯器に形成されている蒸気抜き通路５は、内蓋４に設けた蒸気導入口５１と、内蓋４上面（段下げ部４１上面）と蓋体２下面（放熱板２３下面）との間の空所５２と、蓋体２内を上下に貫通する状態で設けた蓋体内通路５３とで構成されている。尚、内鍋３内と上記空所５２とは内蓋４の蒸気導入口５１部分で連通し、上記空所５２と蓋体２上の大気空間とは蓋体内通路５３を介して連通している。
【００５２】
蓋体内通路５３には、調圧機能をもった蒸気口ユニット７が設置されている。すなわち、この蒸気口ユニット７内には、調圧部８が設けられている。この調圧部８には、調圧弁（球弁）８１が収容されていて、炊飯中には内鍋３内を常圧（大気圧）より高圧状態に維持し得るようになっている。
【００５３】
この実施の形態１で採用している内蓋４の蒸気導入口５１は、例えば図２〜図６に示すように、段下げ部４１の底面における内蓋４の中心Ｐ（図３、図５参照）を挟んだ対向位置の外周寄り２箇所に設けている。尚、この実施の形態１で採用している内蓋４の蒸気導入口５１は、本願請求項１から６の発明の全ての請求項に対応したものである。
【００５４】
この実施の形態１では、内蓋４に各蒸気導入口５１，５１を形成するための蒸気導入口形成部材６Ａ，６Ａを２箇所に使用している（これらは請求項５の発明に対応する構成を有している）。この各蒸気導入口形成部材６Ａ，６Ａは、合成樹脂材料で成形されたものであって、該各蒸気導入口形成部材６Ａ，６Ａの内部には、図２〜図６（特に図５及び図６）に示すように、内鍋３側下方に開放する蒸気入口５１ａと横向きに開放する蒸気出口５１ｂとを通路部分５１ｃで連続させた蒸気導入口５１が形成されている。尚、蒸気導入口形成部材６Ａの蒸気出口５１ｂには、図５（右側の蒸気導入口形成部材６Ａ）及び図６に示すように、該出口を左右に２分割する仕切壁６ａが設けられている。この仕切壁６ａは、上方からの押圧力に対する補強リブとして機能する。
【００５５】
他方、内蓋４には、該内蓋４の中心Ｐを同心とする内蓋外周寄りの等距離にある対向位置（２箇所）に、上記各蒸気導入口形成部材６Ａ，６Ａを取付けるための２つの取付穴４３，４３（図４〜図６）が形成されている。又、この各取付穴４３，４３は、内蓋４の上面高さより僅かに（例えば０.５〜１.０mm程度）低くした段下げ面４４部分に形成している。従って、この段下げ面４４上には、内蓋４上面の中央側（高所）からおねば（粘性の高い液状の米汁）が流れ込み易くなる。尚、この段下げ面４４部分は、図２及び図３に示すように比較的小面積範囲に形成されたものである。
【００５６】
そして、上記各蒸気導入口形成部材６Ａ，６Ａは、内蓋４の上記各取付穴４３，４３に内蓋上面側から嵌め込んで取付けているが、この実施の形態１で形成されている蒸気導入口５１は、図５及び図６に示すように、蒸気入口５１ａが内蓋４の下面側において下向きに開口している一方、蒸気出口５１ｂが内蓋４の上面側において横向きに開口している。
【００５７】
従って、この実施の形態１の蒸気導入口５１では、炊飯時に内鍋３内で発生するおねば混じりの蒸気が、図６に矢印Ｓで示すように蒸気入口５１ａから蒸気導入口形成部材６Ａ内の通路部分５１ｃに流入した後、該通路部分５１ｃの天井面５１ｄにガイドされて蒸気出口５１ｂ側に移動し、該蒸気出口５１ｂから内蓋４の上面に沿う略水平方向にスムーズに放出されるようになる（すなわち、請求項１及び請求項２の発明に対応する構成を有している）。
【００５８】
又、この実施の形態１の蒸気導入口５１では、各蒸気導入口形成部材６Ａ，６Ａの各蒸気出口５１ｂ，５１ｂが、それぞれ内蓋４の中心Ｐ（図３、図５）を中心とする同心円の略接線方向であって且つ該同心円の同一回転方向（図示例では左回転方向）に向けて蒸気を放出させ得るように開口している（すなわち、請求項３及び請求項６の発明に対応する構成を有している）。
【００５９】
又、この実施の形態１の蒸気導入口５１では、各蒸気導入口形成部材６Ａ，６Ａの各蒸気出口５１ｂ，５１ｂの下端部分が上記段下げ面４４の上面と同高さとなっていて、該段下げ面４４上に集まったおねばが該蒸気出口５１ｂ部分から蒸気導入口形成部材６Ａ内の通路部分に流入し得るようになっている（すなわち、請求項４の発明に対応する構成を有している）。尚、該蒸気出口５１ｂ部分から流入したおねばは、蒸気導入口形成部材６Ａ内の通路部分を通って蒸気入口５１ａから内鍋３内に流れ落ちるようになる。
【００６０】
図１〜図６に示す実施の形態１に係る電気炊飯器は、次のように機能する。
【００６１】
すなわち、炊飯時に内鍋３内で蒸気（おねば混じり）が発生すると、該内鍋３内が高圧となることで、まず該蒸気が内蓋４の各蒸気導入口５１，５１を通って内蓋上面と蓋体下面間の空所５２内に放出され、さらに該空所５２から蓋体内通路５３（蒸気口ユニット７内の空所）を通って蒸気排出口５４から蓋体上方（大気中）に排出される。尚、内鍋３内で発生する蒸気中には、おねばが含まれているが、このおねばは蒸気より重く、一連の蒸気抜き通路５中での移動時間が長くなるほど、蒸気からのおねば分離作用が促進される。
【００６２】
ところで、この実施の形態１における上記の各蒸気導入口５１，５１は、内鍋３内で発生した蒸気を、図６に矢印Ｓで示すように内蓋４の下面側から上記空所５２内における内蓋上面に沿う略水平方向に向けて放出させる機能を有しているが、このように、おねば混じりの蒸気を蒸気導入口５１から空所５２内の略水平方向に放出させると、該蒸気が蒸気導入口から直接上方（蓋体内通路側）に放出させる場合より、該空所５２内での蒸気の滞留時間が長くなる。即ち、先に空所５２内に放出されている蒸気は、内鍋３内で順次発生する蒸気に押されて順次蓋体内通路５３側に流動するが、該空所５２の容積（特に平面積）が広いと、該空所５２での蒸気滞留時間が長くなる。
【００６３】
特に、この実施の形態１のように、蒸気導入口５１を複数箇所（２箇所）設け、且つ該各蒸気導入口５１，５１から空所５２内に放出される各蒸気をそれぞれ同一回転方向の略接線方向に向けて放出させると、その放出蒸気が空所５２内で旋回流となるので、該蒸気を空所５２内に長い時間滞留させ得るようになるとともに、遠心方向におねばを分離することができる。従って、蒸気（おねば混じりの蒸気）が空所５２内で長時間滞留し、かつ遠心分離される分、当該空所５２内でのおねば分離作用が促進され、その分、当該空所５２から蓋体内通路５３（蒸気口ユニット７内）を経て大気中に放出される蒸気中のおねば濃度を薄くすることができる。
【００６４】
このように、大気中に放出される蒸気中のおねば濃度が薄くなると、その分、蓋体上面における蒸気排出口５４付近へのおねば付着量が少なくなる（蓋体上面がおねばで汚れにくくなる）。
【００６５】
他方、空所５２内で蒸気から分離されたおねば成分は、粘性のある液状態で内蓋上面（段下げ部４１の上面４１ａ）に付着し、そのおねば量が増えると流動性が出て段下げ部上面４１ａの中央寄り高位置側から外周寄り低位置側に流動するようになる。そして、段下げ部４１の外周寄り低位置まで移動したおねばは、該段下げ部４１の外周寄り位置にある各小穴（おねば戻し穴）４２，４２・・や、上記段下げ面４４に設けている各蒸気導入口５１，５１の蒸気出口５１ｂ，５１ｂからそれぞれ内鍋３内に戻される。そして、内鍋３内に戻されるおねば量が多くなるほど、炊き上げたご飯をおいしくすることができる。
【００６６】
尚、この実施の形態１に係る電気炊飯器は、以上のように本願の請求項１〜６の各構成を全て含んでおり、従って、上記各請求項ごとの作用効果をそれぞれ適切に達成し得るものである。
【００６７】
＜実施の形態２＞
次に図７及び図８に示す実施の形態２は、上記実施の形態１の電気炊飯器における内蓋４の蒸気導入口５１の変形例を示すものである。尚、図７は、上記実施の形態１の図５に相当するものであり、図８は、同実施の形態１の図６に相当するものである。
【００６８】
この実施の形態２において、内蓋４に形成している各蒸気導入口５１，５１（２箇所）は、それぞれ内蓋４の材料（薄板）の一部を上向きに切り起こして形成したルーバー構造のもので、図７及び図８に示すように内蓋４の下面側に向けて開口する蒸気入口５１ａと内蓋４の上面に沿って横向き（略水平方向向き）に開口する蒸気出口５１ｂとを上述の場合と同様に通路部分５１ｃで連続させた状態で形成している。
【００６９】
この実施の形態２の内蓋４に形成している各蒸気導入口５１，５１でも、上記実施の形態１のものと同様に内鍋３（図１）内で発生した蒸気を、内蓋４の下面側から図８に矢印Ｓで示すように蒸気入口５１ａ、通路部分５１ｃ、及び蒸気出口５１ｂを通して内蓋上面に沿う略水平方向に向けて放出させる機能を有している。尚、この各蒸気導入口５１，５１でも、内蓋４の中心Ｐを挟んで対向する２位置にそれぞれ形成している。
【００７０】
この実施の形態２のものでは、各蒸気導入口５１，５１は、それぞれ内蓋材料を切り起こして形成しているので、上記実施の形態１（図１〜図６）の蒸気導入口５１のように別部材からなる蒸気導入口形成部材が不要となり、部品点数及び加工コスト等の面で有利となる。
【００７１】
尚、この実施の形態２で形成されている蒸気導入口５１も、本願の各請求項（１〜６）の各構成を備えているが、その詳細な説明については上記実施の形態１（図１〜図６）の説明を援用する。
【００７２】
＜実施の形態３＞
次に図９〜図１１に示す実施の形態３も、上記実施の形態１の電気炊飯器における内蓋４の蒸気導入口５１の変形例を示すものである。尚、図９及び図１０は、この実施の形態３で使用する蒸気導入口形成部材５Ｂの正面図及び側面図であり、図１１は該蒸気導入口形成部材６Ｂを内蓋４に取付けた状態のもの（上記実施の形態１の図５に相当するもの）である。
【００７３】
この実施の形態３に使用している蒸気導入口形成部材６Ｂは、耐熱性が高く、弾力性のあるシリコンゴムを用いて、Ｌ形のパイプ状に形成されたもので、下向き部分の端部に蒸気入口５１ａを形成し横向き部分の端部に蒸気出口５１ｂを形成しているとともに、蒸気入口５１ａと蒸気出口５１ｂとを筒状通路５１ｃで連続させたものである。
【００７４】
そして、図９及び図１０に示す２個の蒸気導入口形成部材６Ｂ，６Ｂを、図１１に示すように中心Ｐを挟んで対向する外周寄りの２位置に形成した各取付穴４３，４３に嵌め込んで取り付けている。
【００７５】
図１１の取付状態では、２つの蒸気導入口形成部材６Ｂ，６Ｂは、その各蒸気入口５１ａが内蓋４の下面側において下向きに開口している一方、各蒸気出口５１ｂが内蓋上面に近傍する高さにおいて内蓋上面に沿う略水平方向に向けて開口している。又、この実施の形態３でも、各蒸気導入口５１，５１（蒸気導入口形成部材６Ｂ，６Ｂ）の蒸気出口５１ｂ，５１ｂを、内蓋４の中心を同心とする円の同一回転方向（左回転方向）に向けて蒸気を放出させ得るように設置している。
【００７６】
尚、この実施の形態３の蒸気導入口５１，５１は、本願請求項の１〜３と５〜６の５つの請求項に対応しているが、請求項４の構成は有していない（蒸気導入口５１の蒸気出口５１ｂは内蓋上面より僅かに高位置にある）。
【００７７】
そして、この実施の形態３における本願請求項の１〜３と５〜６の５つの請求項に対応する詳細な説明については、上記実施の形態１（図１〜図６）の説明を援用する。
【００７８】
すなわち、略共通の作用を有しているが、実施の形態２のような金属加工の場合に比べて、より洗浄しやすい利点がある。
【００７９】
＜実施の形態４＞
この図１２〜図１３に示す蒸気導入口形成部材６Ｃは、略平面四角形の板状部材６０で形成されたもので、例えば図１２〜図１３に示すように該板状部材６０下面側に三辺６１，６２，６３で囲われた所定深さの削肉部６４を形成したものである。
【００８０】
すなわち、この蒸気導入口形成部材６Ｃは、削肉部６４の下面側が蒸気入口５１ａとなる一方、該削肉部６４の開放部分（一辺）が蒸気出口５１ｂとなるものである。
【００８１】
そして、図１２〜図１３に示す蒸気導入口形成部材６Ｃは、例えば図１４〜図１６に示すような各使用形態で実施し得る。尚、図１４〜図１６において、符号４５は内蓋４に形成した蒸気穴であり、該蒸気穴４５は内蓋４の中心Ｐを挟んで対向する外周寄りの２位置に形成している。符号５３ａは蓋体内通路５３（図１）における蓋体下面側の開口位置である。又、図１４〜図１６に示す内蓋４において、図３に示す実施の形態１と同符号を付しているものは、該実施の形態１（図３）と同じものである。
【００８２】
［図１４の第１の使用例］
先ず図１４の第１の使用例のものでは、図１２の蒸気導入口形成部材６Ｃを２個使用している。そして、該各蒸気導入口形成部材６Ｃ，６Ｃは、削肉部６４が下側となる状態で内蓋４の各蒸気穴４５，４５を上面側から被覆し、且つ各蒸気出口５１ｂ，５１ｂがそれぞれ外側に向く姿勢で設置している。尚、この各蒸気導入口形成部材６Ｃ，６Ｃは内蓋４の上面に適宜の手段で固定されている。
【００８３】
この図１４に示す第１の使用例では、この内蓋４を電気炊飯器に使用した場合に、炊飯時の蒸気が内蓋４の下面側から各蒸気穴４５，４５を通って蒸気導入口形成部材６Ｃの蒸気入口５１ａ（図１３）に入り、続いて該蒸気が削肉部６４の天井面６４ａ（図１３）にガイドされて蒸気出口５１ｂから外側水平方向（矢印Ｃ，Ｄ方向）に向けて放出されるようになっている。
【００８４】
この場合、各蒸気出口５１ｂ，５１ｂから放出された各蒸気流（矢印Ｃ，Ｄ）は、段下げ部４１の側面に衝突して乱流化するので、内蓋上面と蓋体下面間の空所５２（図１）で蒸気が滞留する時間はかなり長くなる。
【００８５】
尚、図１４に示す第１の使用例では、各蒸気導入口５１，５１は、本願請求項１，２，４，５の４つの請求項にそれぞれ対応しているが、請求項３及び６の構成は有していない。そして、この第１使用例の実施の形態の形態でも、本願請求項１，２，４，５の各機能を備えている。
【００８６】
［図１５の第２の使用例］
次に図１５の第２の使用例のものでも、図１２の蒸気導入口形成部材６Ｃを２個使用し且つ該各蒸気導入口形成部材６Ｃ，６Ｃを削肉部６４が下側となる状態で内蓋４の各蒸気穴４５，４５を上面側から被覆していることは上記第１使用例と同じであるが、 この第２使用例では、各蒸気導入口形成部材６Ｃ，６Ｃの蒸気出口５１ｂ，５１ｂがそれぞれ蓋体２に設けた蓋体内通路５３（図１）の下面側開口５３ａから遠い方向の同一方向（矢印Ｅ，Ｅ方向）に向く姿勢で設置（固定）している。又、この第２の使用例の各蒸気導入口形成部材６Ｃ，６Ｃは、その各蒸気出口５１ｂ，５１ｂがそれぞれ内蓋４の中心Ｐを同心とする円の略接線方向（矢印Ｃ，Ｃ）に向いている。
【００８７】
この図１５に示す第２の使用例でも、この内蓋４を電気炊飯器に使用した場合に、炊飯時の蒸気が内蓋４の下面側から各蒸気穴４５，４５を通って蒸気導入口形成部材６Ｃの蒸気入口５１ａ（図１３）に入り、続いて該蒸気が削肉部６４の天井面６４ａ（図１３）にガイドされて蒸気出口５１ｂから水平方向の同方向（矢印Ｅ，Ｅ方向）に向けて放出されるようになっている。
【００８８】
この場合、各蒸気出口５１ｂ，５１ｂから放出された各蒸気流（矢印Ｅ，Ｅ）は、蓋体内通路５３（図１）の下面側開口５３ａから遠い方向に向けて放出されるので、内蓋上面と蓋体下面間の空所５２（図１）で蒸気が滞留する時間はかなり長くなる。
【００８９】
尚、図１５に示す第２使用例でも、上記第１使用例と同様に、各蒸気導入口５１，５１は、本願請求項１〜５の５つの請求項にそれぞれ対応しているが、請求項６の構成は有していない。そして、この第２使用例の実施の形態の形態でも、本願請求項１〜５の各機能を備えている。
【００９０】
［図１６の第３の使用例］
さらに図１６の第３の使用例のものでも、上記図１２の蒸気導入口形成部材６Ｃを２個使用し且つ該各蒸気導入口形成部材６Ｃ，６Ｃを削肉部６４が下側となる状態で内蓋４の各蒸気穴４５，４５を上面側から被覆していることは上記第１の使用例と同じであるが、 この第３の使用例では、各蒸気導入口形成部材６Ｃ，６Ｃの蒸気出口５１ｂ，５１ｂがそれぞれ内蓋４の中心Ｐを同心とする円の同一回転方向（矢印Ｆ，Ｇ）に向けく姿勢で設置（固定）している。
【００９１】
この図１６に示す第３の使用例でも、この内蓋４を電気炊飯器に使用した場合に、炊飯時の蒸気が内蓋４の下面側から各蒸気穴４５，４５を通って蒸気導入口形成部材６Ｃの蒸気入口５１ａ（図１３）に入り、続いて該蒸気が削肉部６４の天井面６４ａ（図１３）にガイドされて蒸気出口５１ｂから水平方向の同一回転方向（矢印Ｆ，Ｇ方向）に向けて放出されるようになっている。
【００９２】
この場合、各蒸気出口５１ｂ，５１ｂから放出された各蒸気流（矢印Ｆ，Ｇ）は、内蓋上面と蓋体下面間の空所５２（図１）内において旋回流となるので、該空所５２内で蒸気が滞留する時間が長くなる。
【００９３】
尚、図１６に示す第３の使用例では、各蒸気導入口５１，５１は、本願請求項１〜６の６つの請求項にそれぞれ対応しているので、本願請求項１〜６の各機能を備えている。
【００９４】
＜変形例＞
以上の実施の形態では、内鍋３として、例えば金属製のものを採用したが、これは例えば土鍋などセラミック製のものでも良く、何ら限定されるものではない。
【００９５】
また、蓋体の調圧部に常圧以上の圧力調整機構を備えた圧力型電気炊飯器に対しても適用することができる。
【符号の説明】
【００９６】
１は炊飯器本体、２は蓋体、３は内鍋、４は内蓋、５は蒸気抜き通路、６Ａ，６Ｂ，６Ｃはそれぞれ蒸気導入口形成部材、７は蒸気口ユニット、５１は蒸気導入口、５１ａは蒸気入口，５１ｂは蒸気出口、５２は空所、５３は蓋体内通路である。
【図１】
2013240504.tif 000003
【図２】
2013240504.tif 000004
【図３】
2013240504.tif 000005
【図４】
2013240504.tif 000006
【図５】
2013240504.tif 000007
【図６】
2013240504.tif 000008
【図７】
2013240504.tif 000009
【図８】
2013240504.tif 000010
【図９】
2013240504.tif 000011
【図１０】
2013240504.tif 000012
【図１１】
2013240504.tif 000013
【図１２】
2013240504.tif 000014
【図１３】
2013240504.tif 000015
【図１４】
2013240504.tif 000016
【図１５】
2013240504.tif 000017
【図１６】
2013240504.tif 000018